【手続補正書】
【提出日】平成17年9月15日(2005.9.15)
【手続補正１】
【補正対象書類名】明細書
【補正対象項目名】全文
【補正方法】変更
【補正の内容】
【書類名】      明細書
【発明の名称】  物干器
【特許請求の範囲】
【請求項１】
弾性を有する合成樹脂から作製された左右一対の棒状枠部を有するフレームに、左右両肩部が水平部を有する門形状の連結部を介して連結された複数本のハンガー単体が、前記水平部において回動自在に掛け渡し状に吊り下げられた物干器であって、
前記各棒状枠部は、下面を開口し内外両側壁部を備えたチャンネル状の断面形状を有し、前記内外両側壁部間に、ハンガー単体の前記水平部を回動自在に保持する鉤部が一体的に設けられてなり、
前記鉤部の先端と内外両側壁部の少なくともいずれか一方の下辺との隙間が、水平部の径よりも小に設定されて水平部の鉤部への強制差込み口となされてなることを特徴とする物干器。
【請求項２】
棒状枠部は、内側壁部の下辺が外側壁部の下辺よりも上方に位置するものと設定されてなる請求項１に記載の物干器。
【請求項３】
鉤部は、その先端にハンガー単体水平部案内用斜面が形成されてなる請求項１ないし請求項２のいずれかに記載の物干器。
【発明の詳細な説明】
【発明の属する技術分野】
【０００１】
この発明は、物干器、特にフレームに複数本のハンガー単体が吊り下げられてなり、シャツやブラウス等の肩部付きの衣料の物干しに好適な物干器に関する。
【従来の技術】
【０００２】
この種の物干器として、図５に示すように、左右一対の棒状のフレーム（51）（51）に、多数本のワイヤ製ハンガー（52）（52）…が跨るようにして取り付けられた物干器（Ｎ）が公知である（実公平７−１１１７号公報参照）。
【０００３】
この物干器（Ｎ）において、若干の弾性を有する１本のワイヤから曲折形成されてなる各ハンガー（52）（52）…は、左右両肩部（53）（53）の上方に連設された垂直軸部（54）（54）がフレーム（51）（51）の軸受部に挿入されると共に、該軸受部に挿入された垂直軸部（54）（54）を覆い隠す軸止片（55）（55）…がフレーム（51）（51）に嵌合されることにより、フレーム（51）（51）に対して抜脱不能に取り付けられている。また、多数本のハンガー（52）（52）…が、このようにしてフレーム（51）（51）に互いに平行状となるように取り付けられることにより、フレーム（51）（51）とハンガー（52）（52）…とが一種のリンクを構成し、フレーム（51）（51）が長さ方向に若干ずれながら、かつ各ハンガー（52）（52）…も幅方向にずれながら順次重なるようにしてコンパクトな折り畳み状態が得られるものである。
【発明が解決しようとする課題】
【０００４】
この物干器（Ｎ）は、上記のようにフレーム（51）（51）とハンガー（52）（52）…とがリンクを構成するため、別途折り畳み機構を設ける必要がなく、構造的にシンプルな物干器が得られる反面、部材の製作、管理、全体の組立製作がいささか煩わしいという問題点がある。
【０００５】
すなわち、フレーム（51）（51）とハンガー（52）（52）…とは別に、軸止片（55）…を製作しなければならず、その製作、管理がいささか煩わしい。また、ハンガー（52）（52）…をフレーム（51）（51）に取り付けるに際しては、必ずフレーム（51）（51）の長さ方向中央から端部に向かって順に規則正しく取り付けていかなければならず、例えば、端部から中央に向って何番目かに取り付けるべきハンガー（52）を付け忘れたり、既に取り付けたハンガーに欠陥があることがわかったので取換えようとしたりする際には、その位置よりも端部側に取り付けられたハンガー（52）…を全て取り外さなければ、その位置のハンガー（52）の取付け、取換えを行い難いという難点がある。
【０００６】
この発明は、このような事情に鑑みてなされたもので、部材点数を少なくして、構成部材の製作及び管理、全体の組み立て製作が行いやすく、かつフレームに対するハンガーの取り付け順序が規定されることなく、ハンガ−をワンタッチでフレームに取り付けることができ、しかもその取り付け状態が強固に保持されうる物干器を提供することを目的とする。
【課題を解決するための手段】
【０００７】
而して、この発明は、物干器のフレームに対して下方からハンガー単体を取り付けられるものとすると共に、フレームが有する弾性を利用してその取り付け及び取り付け状態の保持を確保できるものとした。
【０００８】
すなわち、この発明は、弾性を有する合成樹脂から作製された左右一対の棒状枠部を有するフレームに、左右両肩部が水平部を有する門形状の連結部を介して連結された複数本のハンガー単体が、前記水平部において回動自在に掛け渡し状に吊り下げられた物干器であって、前記各棒状枠部は、下面を開口し内外両側壁部を備えたチャンネル状の断面形状を有し、前記内外両側壁部間に、ハンガー単体の前記水平部を回動自在に保持する鉤部が一体的に設けられてなり、前記鉤部の先端と内外両側壁部の少なくともいずれか一方の下辺との隙間が、水平部の径よりも小に設定されて水平部の鉤部への強制差込み口となされてなることを特徴とする物干器を要旨とするものである。
【０００９】
棒状枠部は、内側壁部の下辺が外側壁部の下辺よりも上方に位置するものと設定されてなることが望ましい。外側壁部がハンガー単体の上部を隠蔽して、外観体裁の向上を図り得るからである。
【００１０】
鉤部は、その先端にハンガ−単体水平部案内用斜面が形成されてなることが望ましい。ハンガー単体水平部を鉤部に填め込む操作が行いやすくなるからである。
【発明の実施の形態】
【００１１】
次に、この発明の一実施形態を図面に基づいて説明する。
【００１２】
図１において、（Ｍ）はこの実施形態の物干器で、若干の弾性を有する合成樹脂から作製され、左右一対の互いに平行状の棒状枠部（２）（２）を備えると共に一端同士が枢着された平面視Ｕ字状の一対のフレーム体（１）（１）の一方（１）を、他方のフレーム体（１）に、下面同士を重ね合わせるように枢着部（３）（３）において回転させることにより、２つ折り状態に折り畳めることができるように構成されている。
【００１３】
前記フレーム体（１）（１）の断面形状は、略逆Ｕ字状に形成されて、図４に示すように断面円弧状の上壁部（２ａ）の両側に垂下された内側壁部（２ｂ）、外側壁部（２ｃ）を備えると共に下面を開口したものとなされ、前記内側壁部（２ｂ）下辺は、外側壁部（２ｃ）の下辺よりも上方に位置するものと設定されている。また、フレーム体（１）の内側には、所定間隔をおいて補強用リブ（４）（４）…が設けられる一方、棒状枠部（２）（２）間にも所定間隔を置いて補強用リブ（５）（５）…が設けられている。
【００１４】
前記棒状枠部（２）（２）の内外両側壁部（２ｂ）（２ｃ）間には、上壁部（２ａ）の下面から下向きに鉤部（11）が突設され、ハンガー単体（Ｈ）の水平部（34ａ）を回動自在に支持するものとなされている。このハンガー単体支持鉤部（11）は、その先端上部が内側壁部（２ｂ）の下辺よりも僅かに下方位置にあるものと設定されると共に、先端部上縁にハンガー単体水平部案内用斜面（11ａ）が形成されている。また、この鉤部（11）の外側に同じく上壁部（２ａ）の下面から下向きにハンガー単体水平部挿入補助用突起（12）が突設されている。この補助用突起（12）の下端は、鉤部（11）の先端よりも上方に位置するものと設定されると共に、その下縁に、図３（ロ）に示すように鉤部のハンガー単体水平部案内用斜面（11ａ）と側面視ハ字状を呈する斜面（12ａ）が形成されている。
【００１５】
このフレーム体（１）に取り付けられるハンガー単体（Ｈ）は、図１に示すように、若干の弾性を有する針金から屈曲形成されてなるもので、左右両肩部（32）（33）が、水平部（34ａ）を有する門形状の連結部（34）を介して連結されてなるもので、ハンガー単体横棒部の先端部が、対応する係止部（37）に係止されるものとなされている。
【００１６】
図中、（41）は挟持タイプのフック、（40）はフック（41）とフレーム体（１）（１）とを連結する吊り下げワイヤーである。
【００１７】
而して、上記フレームに前記ハンガー単体（Ｈ）を取り付けるに際しては、図２に示すようにフレームを裏返しにした状態にして、同図に鎖線で示すように、まず、ハンガー単体の水平部（34ａ）を棒状枠部（２）に斜めに交差するようにしながら、水平部（34ａ）の一端部をハンガー単体水平部挿入補助用突起（12）の斜面（12ａ）に押し当てる。次に水平部（34ａ）を図中斜め右上方向に水平に引っ張ると、鉤部（11）の先端が同方向に曲げられ、鉤部（11）と補助用突起（12）との間隔が拡げられ、鉤部への挿入が行われる。その後、水平部（34ａ）の他端を他方の鉤部（11）の水平部案内用斜面（11ａ）に押し当てて挿入方向に強く引っ張るかあるいは内側壁部（２ｂ）を支点としてこじ開けるようにして、鉤部先端部を曲折させることにより、水平部他端の挿入を行え、ハンガー単体（Ｈ）のフレーム（１）への取り付けが完了する。
【００１８】
なお、この実施形態においては、棒状枠部の内外両側壁部の下辺の高さ位置が異なるものとなされているが、これを同一のものとしても良い。
【発明の効果】
【００１９】
この発明は、上述の次第で、弾性を有する合成樹脂から作製された棒状枠部の内側に設けられた鉤部に、ハンガー単体水平部を回動自在に保持させるものとなされているから、取り付け操作が行いやすい。特に、複数本のハンガー単体の取り付け順序が規定されることがないので、取り付け作業中に付け忘れや、取り替えが必要となったときにも対応しやすい。
【００２０】
又、鉤部の先端と内外両側壁部の少なくともいずれか一方の下辺との隙間が、水平部の径よりも小に設定されて水平部の鉤部への強制差込み口となされているので、一端、挿入係止されたハンガー単体水平部が、鉤部から不本意に抜脱する虞がない。
【００２１】
棒状枠部は、内側壁部の下辺が外側壁部の下辺よりも上方に位置するものと設定されてなる場合には、水平部が側面視において見えにくくなり、外観体裁の向上も図り得る。
【００２２】
鉤部の先端にハンガー単体水平部案内用斜面が形成されている場合には、前記取り付け操作もより一層行い易い。
【図面の簡単な説明】
【００２８】
【図１】
この発明に係る物干器の斜視図である。
【図２】
同要部を下方から見た斜視図である。
【図３】
（イ）は同要部平面図、（ロ）は要部の一部切欠側面図である。
【図４】
図３（イ）のIV−IV線断面図である。
【図５】
従来の物干器の斜視図である。
【符号の説明】
【００２９】
Ｍ…物干器
１…フレーム
２…棒状枠部
２ｂ…内側壁部
２ｃ…外側壁部
４…連結部
34ａ…水平部
11…鉤部